【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
ワイヤレス通信の方法において、
低周波数におけるユーザデバイスとの通信を、少なくとも１つのワイヤレスネットワークデバイスによって確立することと、
前記少なくとも１つのワイヤレスネットワークデバイスと前記ユーザデバイスとの間の前記低周波数における通信に関連する粗チャネル特性を、前記少なくとも１つのワイヤレスネットワークデバイスによって識別することと、
前記低周波数における通信に関連する前記粗チャネル特性を利用することによって、高周波数における前記ユーザデバイスとの通信を、前記少なくとも１つのワイヤレスネットワークデバイスによって確立して、前記高周波数における通信を前記ユーザデバイスの方に向けて伝達するビームをステアリングすることと、
環境の変化に応答して、前記高周波数における前記通信を調整するために、前記低周波数における通信を継続し、前記関連する粗チャネル特性を取得することによって、前記高周波数における通信を維持することとを含む方法。
【請求項２】
前記低周波数は、ライセンスされているスペクトル、または、ライセンスされていないスペクトル、のうちの少なくとも１つを含み、
前記高周波数は、ライセンスされているスペクトル、または、ライセンスされていないスペクトル、のうちの少なくとも１つを含み、
前記低周波数の前記ライセンスされているスペクトルに関連する前記粗チャネル特性が、前記高周波数における通信を確立する際に使用される請求項１記載の方法。
【請求項３】
前記粗チャネル特性は、パス損失の、電力遅延プロフィールの、マルチパス方向の、到着の角度の、放射の角度の情報、または、前記少なくとも１つのワイヤレスネットワークデバイスに対する前記ユーザデバイスの位置に関する位置情報、のうちの少なくとも１つを含む請求項１記載の方法。
【請求項４】
前記高周波数において前記ユーザデバイスと通信するように構成されている第２のネットワークデバイスの範囲中に、前記ユーザデバイスがあるか否かを、前記低周波数において前記ユーザデバイスと通信する前記少なくとも１つのワイヤレスネットワークデバイスによって監視することをさらに含む請求項１記載の方法。
【請求項５】
前記第２のネットワークデバイスの範囲中に前記ユーザデバイスがあるときに、前記第２のネットワークデバイスをアクティブにすることをさらに含む請求項４記載の方法。
【請求項６】
前記ユーザデバイスとの高周波数通信を確立するために、前記第２のネットワークデバイスに前記粗チャネル特性を前記少なくとも１つのワイヤレスネットワークデバイスによって提供することをさらに含む請求項５記載の方法。
【請求項７】
１つ以上の高周波数通信ネットワークデバイスに対応する情報を、前記ユーザデバイスに送信することをさらに含む請求項１記載の方法。
【請求項８】
前記低周波数における通信に関して識別した前記粗チャネル特性に基づいて、高周波数送信ビームを向けることをさらに含む請求項１記載の方法。
【請求項９】
前記粗チャネル特性は、前記ユーザデバイスから受信した送信、または、前記少なくとも１つのワイヤレスネットワークデバイスによる独立した決定のうちの１つ以上にしたがって識別される請求項１記載の方法。
【請求項１０】
ワイヤレス通信の方法において、
ユーザデバイスによって、低周波数において少なくとも１つのネットワークデバイスと通信することと、
前記ユーザデバイスにおいて、前記低周波数における通信に関係付けられている粗チャネル特性に基づいて、前記少なくとも１つのネットワークデバイスから前記ユーザデバイスに向けられた高周波数通信を受信することとを含み、
前記低周波数における通信に関係付けられている前記粗チャネル特性は、前記高周波数通信を前記ユーザデバイスの方に向けて伝達するビームをステアリングするために利用され、
環境の変化に応答して、前記高周波数通信を調整するために、前記低周波数における通信から継続的に取得される、前記低周波数における通信に関係付けられている前記粗チャネル特性に基づいて、前記高周波数通信は維持される方法。
【請求項１１】
前記低周波数は、ライセンスされているスペクトル、または、ライセンスされていないスペクトル、のうちの少なくとも１つを含み、
前記高周波数は、ライセンスされているスペクトル、または、ライセンスされていないスペクトル、のうちの少なくとも１つを含み、
前記低周波数の前記ライセンスされているスペクトルに関係付けられている前記粗チャネル特性が、前記高周波数通信を前記ユーザデバイスに向ける際に使用される請求項１０記載の方法。
【請求項１２】
前記ユーザデバイスによって前記少なくとも１つのネットワークデバイスと通信することは、前記少なくとも１つのネットワークデバイスに前記粗チャネル特性を通信することを含む請求項１０記載の方法。
【請求項１３】
前記粗チャネル特性は、パス損失の、電力遅延プロフィールの、マルチパス方向の、到着の角度の、放射の角度の情報、または、前記少なくとも１つのネットワークデバイスに対する前記ユーザデバイスの位置に関する位置情報、のうちの少なくとも１つを含む請求項１０記載の方法。
【請求項１４】
前記少なくとも１つのネットワークデバイスとは異なる第２のネットワークデバイスから第２の高周波数通信を受信することをさらに含む請求項１０記載の方法。
【請求項１５】
前記ユーザデバイスによって、前記低周波数において、前記少なくとも１つのネットワークデバイスと制御情報を送受信することと、
前記ユーザデバイスによって、前記高周波数通信により、前記第２のネットワークデバイスとデータ情報を送受信することとをさらに含む請求項１４記載の方法。
【請求項１６】
ワイヤレス通信のための装置において、
少なくとも１つのプロセッサと、
前記少なくとも１つのプロセッサに結合されているメモリとを具備し、
前記少なくとも１つのプロセッサは、
低周波数におけるユーザデバイスとの通信を、少なくとも１つのワイヤレスネットワークデバイスによって確立し、
前記少なくとも１つのワイヤレスネットワークデバイスと前記ユーザデバイスとの間の前記低周波数における通信に関連する粗チャネル特性を、前記少なくとも１つのワイヤレスネットワークデバイスによって識別し、
前記低周波数における通信の前記粗チャネル特性を利用することによって、高周波数における前記ユーザデバイスとの通信を、前記少なくとも１つのワイヤレスネットワークデバイスによって確立して、前記高周波数における通信を前記ユーザデバイスの方に向けて伝達するビームをステアリングし、
環境の変化に応答して、前記高周波数における前記通信を調整するために、前記低周波数における通信を継続し、前記関連する粗チャネル特性を取得することによって、前記高周波数における通信を維持するように構成されている装置。
【請求項１７】
前記低周波数は、ライセンスされているスペクトル、または、ライセンスされていないスペクトル、のうちの少なくとも１つを含み、
前記高周波数は、ライセンスされているスペクトル、または、ライセンスされていないスペクトル、のうちの少なくとも１つを含み、
前記低周波数の前記ライセンスされているスペクトルに関連する前記粗チャネル特性が、前記高周波数における通信を確立するための前記少なくとも１つのプロセッサのコンフィギュレーションにおいて使用される請求項１６記載の装置。
【請求項１８】
前記粗チャネル特性は、パス損失の、電力遅延プロフィールの、マルチパス方向の、到着の角度の、放射の角度の情報、または、前記少なくとも１つのワイヤレスネットワークデバイスに対する前記ユーザデバイスの位置に関する位置情報、のうちの少なくとも１つを含む請求項１６記載の装置。
【請求項１９】
前記少なくとも１つのプロセッサは、前記高周波数において前記ユーザデバイスと通信するように構成されている第２のネットワークデバイスの範囲中に、前記ユーザデバイスがあるか否かを監視するように構成されている請求項１６記載の装置。
【請求項２０】
前記少なくとも１つのプロセッサは、前記第２のネットワークデバイスの範囲中に前記ユーザデバイスがあるときに、前記第２のネットワークデバイスをアクティブにするように構成されている請求項１９記載の装置。
【請求項２１】
前記少なくとも１つのプロセッサは、前記ユーザデバイスとの高周波数通信を確立するために、前記第２のネットワークデバイスに前記粗チャネル特性を、前記少なくとも１つのワイヤレスネットワークデバイスによって提供するようにさらに構成されている請求項２０記載の装置。
【請求項２２】
１つ以上の高周波数通信ネットワークデバイスに対応する情報を前記ユーザデバイスに送信するための前記少なくとも１つのプロセッサのコンフィギュレーションをさらに含む請求項１６記載の装置。
【請求項２３】
前記少なくとも１つのプロセッサは、前記低周波数における通信に関して識別した前記粗チャネル特性に基づいて、高周波数送信ビームを向けるように構成されている請求項１６記載の装置。
【請求項２４】
前記粗チャネル特性は、前記ユーザデバイスから受信した送信、または、前記少なくとも１つのワイヤレスネットワークデバイスによる独立した決定のうちの１つ以上にしたがって識別される請求項１６記載の装置。
【請求項２５】
ワイヤレス通信のための装置において、
少なくとも１つのプロセッサと、
前記少なくとも１つのプロセッサに結合されているメモリとを具備し、
前記少なくとも１つのプロセッサは、
ユーザデバイスによって、低周波数において少なくとも１つのネットワークデバイスと通信し、
前記ユーザデバイスにおいて、前記低周波数において通信するための前記少なくとも１つのプロセッサのコンフィギュレーションに関係付けられている粗チャネル特性に基づいて、前記少なくとも１つのネットワークデバイスから前記ユーザデバイスに向けられた高周波数通信を受信するように構成され、
前記低周波数において通信するための前記少なくとも１つのプロセッサのコンフィギュレーションに関係付けられている粗チャネル特性は、前記高周波数通信を前記ユーザデバイスの方に向けて伝達するビームをステアリングするために利用され、
環境の変化に応答して、前記高周波数通信を調整するために、前記低周波数における通信から継続的に取得される、前記低周波数において通信するための前記少なくとも１つのプロセッサのコンフィギュレーションに関係付けられている前記粗チャネル特性に基づいて、前記高周波数通信は維持される装置。
【請求項２６】
前記低周波数は、ライセンスされているスペクトル、または、ライセンスされていないスペクトル、のうちの少なくとも１つを含み、
前記高周波数は、ライセンスされているスペクトル、または、ライセンスされていないスペクトル、のうちの少なくとも１つを含み、
前記低周波数の前記ライセンスされているスペクトルに関係付けられている前記粗チャネル特性が、前記高周波数通信を前記ユーザデバイスに向ける際に使用される請求項２５記載の装置。
【請求項２７】
前記ユーザデバイスによって前記少なくとも１つのネットワークデバイスと通信するための前記少なくとも１つのプロセッサのコンフィギュレーションは、前記少なくとも１つのネットワークデバイスに前記粗チャネル特性を通信するための前記少なくとも１つのプロセッサのコンフィギュレーションを含む請求項２５記載の装置。
【請求項２８】
前記粗チャネル特性は、前記ユーザデバイスと前記少なくとも１つのネットワークデバイスとの間で前記低周波数において通信するための前記少なくとも１つのプロセッサのコンフィギュレーションに対して、パス損失の、電力遅延プロフィールの、マルチパス方向の、到着の角度の、放射の角度の情報、または、前記少なくとも１つのネットワークデバイスに対する前記ユーザデバイスの位置に関する位置情報、のうちの少なくとも１つを含む請求項２５記載の装置。
【請求項２９】
前記少なくとも１つのプロセッサは、前記少なくとも１つのネットワークデバイスとは異なる第２のネットワークデバイスから第２の高周波数通信を受信するように構成されている請求項２５記載の装置。
【請求項３０】
前記少なくとも１つのプロセッサは、
前記低周波数において、前記少なくとも１つのネットワークデバイスと制御情報を送受信し、
前記高周波数通信により、前記第２のネットワークデバイスとデータ情報を送受信するように構成されている請求項２９記載の装置。
【手続補正２】
【補正対象書類名】明細書
【補正対象項目名】００９９
【補正方法】変更
【補正の内容】
【００９９】
［０１０７］
本開示の先の説明は、当業者が本開示を製造または使用することを可能にするように提供されている。本開示に対するさまざまな修正が、当業者にとって容易に明らかとなり、ここで定義される一般的な原理は、本開示の精神および範囲から逸脱することなく他のバリエーションに適用してもよい。したがって、本開示は、ここで記述した例および設計に限定されるように意図してはおらず、ここで開示した原理および新規の特徴と一致した最も広い範囲が与えられるべきである。
以下に、本願出願の当初の特許請求の範囲に記載された発明を付記する。
［１］  ワイヤレス通信の方法において、
低周波数におけるユーザデバイスとの通信を、少なくとも１つのワイヤレスネットワークデバイスによって確立することと、
前記少なくとも１つのワイヤレスネットワークデバイスと前記ユーザデバイスとの間の前記低周波数における通信に関連する粗チャネル特性を識別することと、
前記低周波数における通信の前記粗チャネル特性に少なくとも部分的に基づいて、高周波数における前記ユーザデバイスとの通信を、前記少なくとも１つのワイヤレスネットワークデバイスによって確立することとを含む方法。
［２］  前記低周波数は、ライセンスされているスペクトル、または、ライセンスされていないスペクトル、のうちの少なくとも１つを含み、
高周波数は、ライセンスされているスペクトル、または、ライセンスされていないスペクトル、のうちの少なくとも１つを含み、
前記低周波数の前記ライセンスされているスペクトルに関連する前記粗チャネル特性が、前記より高い周波数における通信を確立する際に使用される［１］記載の方法。
［３］  前記粗チャネル特性は、パス損失の、電力遅延プロフィールの、マルチパス方向の、到着の角度の、放射の角度の情報、または、前記少なくとも１つのワイヤレスネットワークデバイスに対する前記ユーザデバイスの位置に関する位置情報、のうちの少なくとも１つを含む［１］記載の方法。
［４］  前記高周波数において前記ユーザデバイスと通信するように構成されている第２のネットワークデバイスの範囲中に、前記ユーザデバイスがあるか否かを、前記低周波数において前記ユーザデバイスと通信する前記少なくとも１つのワイヤレスネットワークデバイスによって監視することをさらに含む［１］記載の方法。
［５］  前記第２のネットワークデバイスの範囲中に前記ユーザデバイスがあるときに、前記第２のネットワークデバイスをアクティブにすることをさらに含む［４］記載の方法。
［６］  前記ユーザデバイスとの高周波数通信を確立するために、前記第２のネットワークデバイスに前記粗チャネル特性を提供することをさらに含む［５］記載の方法。
［７］  １つ以上の高周波数通信ネットワークデバイスに対応する情報を、前記ユーザデバイスに送信することをさらに含む［１］記載の方法。
［８］  前記低周波数における通信に関して識別した前記粗チャネル特性に基づいて、高周波数送信ビームを向けることをさらに含む［１］記載の方法。
［９］  ワイヤレス通信の方法において、
ユーザデバイスによって、低周波数において少なくとも１つのネットワークデバイスと通信することと、
前記ユーザデバイスにおいて、前記低周波数における通信に関係付けられている粗チャネル特性に基づく、前記ユーザデバイスに向けられた高周波数通信を受信することとを含む方法。
［１０］  前記低周波数は、ライセンスされているスペクトル、または、ライセンスされていないスペクトル、のうちの少なくとも１つを含み、
高周波数は、ライセンスされているスペクトル、または、ライセンスされていないスペクトル、のうちの少なくとも１つを含み、
前記低周波数の前記ライセンスされているスペクトルに関係付けられている前記粗チャネル特性が、前記高周波数通信を前記ユーザデバイスに向ける際に使用される［９］記載の方法。
［１１］  前記ユーザデバイスによって前記少なくとも１つのネットワークデバイスと通信することは、前記少なくとも１つのネットワークデバイスに前記粗チャネル特性を通信することを含む［９］記載の方法。
［１２］  前記粗チャネル特性は、パス損失の、電力遅延プロフィールの、マルチパス方向の、到着の角度の、放射の角度の情報、または、前記少なくとも１つのワイヤレスネットワークデバイスに対する前記ユーザデバイスの位置に関する位置情報、のうちの少なくとも１つを含む［９］記載の方法。
［１３］  前記高周波数通信は、前記低周波数において前記ユーザデバイスと通信する前記少なくとも１つのネットワークデバイスから受信される［９］記載の方法。
［１４］  前記高周波数通信は、前記少なくとも１つのネットワークデバイスとは異なる第２のネットワークデバイスから受信される［９］記載の方法。
［１５］  前記ユーザデバイスによって、前記低周波数において、前記少なくとも１つのネットワークデバイスと制御情報を送受信することと、
前記ユーザデバイスによって、前記高周波数通信により、前記第２のネットワークデバイスとデータ情報を送受信することとをさらに含む［１４］記載の方法。
［１６］  ワイヤレス通信のための装置において、
少なくとも１つのプロセッサと、
前記少なくとも１つのプロセッサに結合されているメモリとを具備し、
前記少なくとも１つのプロセッサは、
低周波数におけるユーザデバイスとの通信を、少なくとも１つのワイヤレスネットワークデバイスによって確立し、
前記少なくとも１つのワイヤレスネットワークデバイスと前記ユーザデバイスとの間の前記低周波数における通信に関連する粗チャネル特性を識別し、
前記低周波数における通信の前記粗チャネル特性に少なくとも部分的に基づいて、高周波数における前記ユーザデバイスとの通信を確立するように構成されている装置。
［１７］  前記低周波数は、ライセンスされているスペクトル、または、ライセンスされていないスペクトル、のうちの少なくとも１つを含み、
高周波数は、ライセンスされているスペクトル、または、ライセンスされていないスペクトル、のうちの少なくとも１つを含み、
前記低周波数の前記ライセンスされているスペクトルに関連する前記粗チャネル特性が、前記より高い周波数における通信を確立するための前記少なくとも１つのプロセッサのコンフィギュレーションにおいて使用される［１６］記載の装置。
［１８］  前記粗チャネル特性は、パス損失の、電力遅延プロフィールの、マルチパス方向の、到着の角度の、放射の角度の情報、または、前記少なくとも１つのワイヤレスネットワークデバイスに対する前記ユーザデバイスの位置に関する位置情報、のうちの少なくとも１つを含む［１６］記載の装置。
［１９］  前記少なくとも１つのプロセッサは、前記高周波数において前記ユーザデバイスと通信するように構成されている第２のネットワークデバイスの範囲中に、前記ユーザデバイスがあるか否かを監視するように構成されている［１６］記載の装置。
［２０］  前記少なくとも１つのプロセッサは、前記第２のネットワークデバイスの範囲中に前記ユーザデバイスがあるときに、前記第２のネットワークデバイスをアクティブにするように構成されている［１９］記載の装置。
［２１］  前記少なくとも１つのプロセッサは、前記ユーザデバイスとの高周波数通信を確立するために、前記第２のネットワークデバイスに前記粗チャネル特性を提供するようにさらに構成されている［２０］記載の方法。
［２２］  １つ以上の高周波数通信ネットワークデバイスに対応する情報を前記ユーザデバイスに送信するための前記少なくとも１つのプロセッサのコンフィギュレーションをさらに含む［１６］記載の装置。
［２３］  前記少なくとも１つのプロセッサは、前記低周波数における通信に関して識別した前記粗チャネル特性に基づいて、高周波数送信ビームを向けるように構成されている［１６］記載の装置。
［２４］  ワイヤレス通信のための装置において、
少なくとも１つのプロセッサと、
前記少なくとも１つのプロセッサに結合されているメモリとを具備し、
前記少なくとも１つのプロセッサは、
ユーザデバイスによって、低周波数において少なくとも１つのネットワークデバイスと通信し、
前記ユーザデバイスにおいて、前記低周波数において通信するための前記少なくとも１つのプロセッサのコンフィギュレーションに関係付けられている粗チャネル特性に基づく、前記ユーザデバイスに向けられた高周波数通信を受信するように構成されている装置。
［２５］  前記低周波数は、ライセンスされているスペクトル、または、ライセンスされていないスペクトル、のうちの少なくとも１つを含み、
高周波数は、ライセンスされているスペクトル、または、ライセンスされていないスペクトル、のうちの少なくとも１つを含み、
前記低周波数の前記ライセンスされているスペクトルに関係付けられている前記粗チャネル特性が、前記高周波数通信を前記ユーザデバイスに向ける際に使用される［２４］記載の装置。
［２６］  前記ユーザデバイスによって前記少なくとも１つのネットワークデバイスと通信するための前記少なくとも１つのプロセッサのコンフィギュレーションは、前記少なくとも１つのネットワークデバイスに前記粗チャネル特性を通信するための前記少なくとも１つのプロセッサのコンフィギュレーションを含む［２４］記載の装置。
［２７］  前記粗チャネル特性は、前記ユーザデバイスと前記少なくとも１つのネットワークデバイスとの間で前記低周波数において通信するための前記少なくとも１つのプロセッサのコンフィギュレーションに対して、パス損失の、電力遅延プロフィールの、マルチパス方向の、到着の角度の、放射の角度の情報、または、前記少なくとも１つのワイヤレスネットワークデバイスに対する前記ユーザデバイスの位置に関する位置情報、のうちの少なくとも１つを含む［２４］記載の装置。
［２８］  前記高周波数通信は、前記低周波数において前記ユーザデバイスと通信する前記少なくとも１つのネットワークデバイスから受信される［２４］記載の装置。
［２９］  前記高周波数通信は、前記少なくとも１つのネットワークデバイスとは異なる第２のネットワークデバイスから受信される［２４］記載の装置。
［３０］  前記少なくとも１つのプロセッサは、
前記低周波数において、前記少なくとも１つのネットワークデバイスと制御情報を送受信し、
前記高周波数通信により、第２のネットワークデバイスとデータ情報を送受信するように構成されている［２４］記載の装置。